(57)【特許請求の範囲】
【請求項１】
通気性を有する素材からなる第１ベースシートと、
前記第１ベースシートの下側に位置する通気性を有する構造からなるベースマットと、
前記第１ベースシートの上側表面に空気注入用ノズルを備えた細長い袋状のエアセルをベッド長手方向と直交する向きで複数本並設して形成されたエアセル群と、
を備えたクッション部と、
前記クッション部の下側に位置する通気性を有する素材からなる第２ベースシートと、
前記第２ベースシートとともに、前記クッション部の外周囲を被う被覆布を構成する気密性を有する素材からなるカバーと、
を有し、
前記被覆布のベッド長手方向に沿った左右側面部のうち、いずれか一方の側の側壁面に、当該被覆布内であって、前記クッション部方向に向けて換気用の空気を送給する換気用空気吹き出し手段が設けられ、
前記第１ベースシート及び第２ベースシートは、メッシュ生地からなること
を特徴とするマットレス。
【請求項２】
通気性を有する素材からなる第１ベースシートと、
前記第１ベースシートの下側に位置する通気性を有する構造からなるベースマットと、
前記第１ベースシートの上側表面に空気注入用ノズルを備えた細長い袋状のエアセルをベッド長手方向と直交する向きで複数本並設して形成されたエアセル群と、
を備えたクッション部と、
前記クッション部の下側に位置する通気性を有する素材からなる第２ベースシートと、
前記第２ベースシートとともに、前記クッション部の外周囲を被う被覆布を構成する気密性を有する素材からなるカバーと、
を有し、
前記被覆布のベッド長手方向に沿った左右側面部のうち、いずれか一方の側の側壁面に、当該被覆布内であって、前記クッション部方向に向けて換気用の空気を送給する換気用空気吹き出し手段が設けられたマットレスであって、前記被覆布の外側には、ベッド長手方向の左右側面部に沿ってサブカバー収納部が形成されており、当該サブカバー収納部には、前記マットレスの外周囲のうち、所望の範囲を被うことができる非通気性及び非透湿性のサブカバーが収納係止されていることを特徴とするマットレス。
【請求項３】
前記被覆布の外側には、ベッド長手方向の左右側面部に沿ってサブカバー収納部が形成されており、当該サブカバー収納部には、前記マットレスの外周囲のうち、所望の範囲を被うことができる非通気性及び非透湿性のサブカバーが収納係止されていることを特徴とする請求項１記載のマットレス。
【請求項４】
前記被覆布のベッド短手方向に沿った側壁面には、被覆布内の空気を外部へ排出するための排気孔が、ベッド短手方向に沿って複数穿設されていることを特徴とする請求項１〜３いずれか１項記載のマットレス。
【発明の詳細な説明】
【技術分野】
【０００１】
本発明は、マットレス内にこもっている熱や湿気を効率的に外部へと運び出すことができる換気機能付きマットレスに関するものである。
【背景技術】
【０００２】
従来のエアマットレス、ウレタンフォームマットレス等の床ずれ防止用のマットレスは、身体を広く面で支えることにより、体圧分散効果を実現することができるが、身体を面で支えるため、体温の上昇による発汗を要因とした蒸れなどにより、使用者は、不快感を感じることがあると指摘されていた。
【０００３】
このような問題を解決するため、例えば、特許文献１には、エアセルや樹脂製フォームなどで構成されたクッション部の外周囲をベースシートやカバーシートなどの被覆布によって気密に密閉し、クッション部の外周囲を被う被覆布の側面適宜位置に排気孔を穿設するとともに、クッション部を中に挟んで排気孔と反対側の位置に、マットレス内に排気用空気を吹き出すための換気用空気吹き出し手段を設けたマットレスが開示されている。
【０００４】
このマットレスによると、マットレス内に送り込まれた換気用空気は、マットレス内のエアセルの間を流れていく間に、マットレス内の熱や湿気を取り込み、マットレス外へと運び出すので、ベッド使用者のマットレスとの接触部位における体温上昇を効果的に抑えることができ、体温上昇による発汗や蒸れを予防することができるとされている。
【先行技術文献】
【特許文献】
【０００５】
【特許文献１】特開２００５−６９５６公報
【発明の概要】
【発明が解決しようとする課題】
【０００６】
しかしながら、上記特許文献１に記載のマットレスにおいては、クッション部を被う被覆布に水を通さず、湿気のみを通す防水透湿生地を用いた場合、エアセルを並設するベースシートも通気性や透湿性が悪いため、外部から被覆布を通過した湿気が被覆布内（マットレス内）にこもり、水滴となって被覆内部（マットレス内部）のカビ発生の原因となってしまっていた。
【０００７】
また、防水透湿生地を被覆布として用いると、マットレスに横臥する使用者側からも被覆布内部（マットレス内部）側からも湿気が通過していくため、被覆布内（マットレス内）に湿気が充満すると、使用者の体表面と被覆布表面の間で蒸れが発生し、使用者が暑さを感じたり、不快感を感じたりと、十分な蒸れ対策がとれないという問題も生じていた。
【０００８】
本発明は、上述の問題を解決するためのもので、換気用空気を用いて、マットレス内の熱や湿気を効率よく外部に運び出す換気機能を最大限に引き出せる構造を有するマットレスを提供することを目的としたものである。
【課題を解決するための手段】
【０００９】
即ち、請求項１記載の発明は、通気性を有する素材からなる第１ベースシートと、前記第１ベースシートの下側に位置する通気性を有する構造からなるベースマットと、前記第１ベースシートの上側表面に空気注入用ノズルを備えた細長い袋状のエアセルをベッド長手方向と直交する向きで複数本並設して形成されたエアセル群とを備えたクッション部と、前記クッション部の下側に位置する通気性を有する素材からなる第２ベースシートと、前記第２ベースシートとともに、前記クッション部の外周囲を被う被覆布を構成する気密性を有する素材からなるカバーとを有し、前記被覆布のベッド長手方向に沿った左右側面部のうち、いずれか一方の側の側壁面に、当該被覆布内であって、前記クッション部方向に向けて換気用の空気を送給する換気用空気吹き出し手段が設けられ、前記第１ベースシート及び第２ベースシートは、メッシュ生地からなることを特徴とするマットレスである。
【００１０】
また、請求項２記載の発明は、通気性を有する素材からなる第１ベースシートと、前記第１ベースシートの下側に位置する通気性を有する構造からなるベースマットと、前記第１ベースシートの上側表面に空気注入用ノズルを備えた細長い袋状のエアセルをベッド長手方向と直交する向きで複数本並設して形成されたエアセル群とを備えたクッション部と、前記クッション部の下側に位置する通気性を有する素材からなる第２ベースシートと、前記第２ベースシートとともに、前記クッション部の外周囲を被う被覆布を構成する気密性を有する素材からなるカバーとを有し、前記被覆布のベッド長手方向に沿った左右側面部のうち、いずれか一方の側の側壁面に、当該被覆布内であって、前記クッション部方向に向けて換気用の空気を送給する換気用空気吹き出し手段が設けられたマットレスであって、前記被覆布の外側には、ベッド長手方向の左右側面部に沿ってサブカバー収納部が形成されており、当該サブカバー収納部には、前記マットレスの外周囲のうち、所望の範囲を被うことができる非通気性及び非透湿性のサブカバーが収納係止されていることを特徴とするマットレスである。
【００１１】
請求項３記載の発明は、請求項１記載のマットレスであって、前記被覆布の外側には、ベッド長手方向に沿ってサブカバー収納部が形成されており、当該サブカバー収納部には、前記マットレスの外周囲のうち、所望の範囲を被うことができる非通気性及び非透湿性のサブカバーが収納係止されていることを特徴としている。
【００１２】
またさらに、請求項４記載の発明は、請求項１〜３のいずれか１項記載のマットレスであって、前記被覆布のベッド短手方向に沿った側壁面には、前記換気用空気吹き出し手段が設けられていない側の側壁面には、被覆布内の空気を外部へ排出するための排気孔が、ベッド長手方向に沿って複数穿設されていることを特徴としている。
【発明の効果】
【００１３】
請求項１記載の発明によれば、通気性を有する素材からなる第１ベースシートと、前記第１ベースシートの下側に位置する通気性を有する構造からなるベースマットと、前記第１ベースシートの上側表面に空気注入用ノズルを備えた細長い袋状のエアセルをベッド長手方向と直交する向きで複数本並設して形成されたエアセル群とを備えたクッション部と、前記クッション部の下側に位置する通気性を有する素材からなる第２ベースシートと、前記第２ベースシートとともに、前記クッション部の外周囲を被う被覆布を構成する気密性を有する素材からなるカバーとを有し、前記被覆布のベッド長手方向に沿った左右側面部のうち、いずれか一方の側の側壁面に、当該被覆布内であって、前記クッション部に向けて換気用の空気を送給する換気用空気吹き出し手段が設けられたことを特徴とするマットレスであるので、マットレス内部にこもりがちな湿気をクッション部及び第２ベースシートを通じて外部（マットレス底面）へと排出させることができるため、マットレス内外の蒸れ対策の向上に繋がる。
【００１４】
また、換気用空気吹き出し手段をクッション部に向けて換気用空気を送給させることができるため、マットレスの外側上面から侵入する湿気を積極的にマットレス底面方向に排出することが可能となる。
【００１５】
請求項２記載の発明によれば、第１ベースシート及び第２ベースシートは、メッシュ生地からなるため、マットレス内部にこもりがちな湿気をより効果的に外部（マットレス底面）へと排出させることが可能となる。
【００１６】
請求項３記載の発明によれば、被覆布の外側には、ベッド長手方向に沿ってサブカバー収納部が形成されており、当該サブカバー収納部には、前記マットレスの外周囲のうち、所望の範囲を被うことができる非通気性及び非透湿性のサブカバーが収納係止されているため、例えば、冬場の寒冷地等でマットレスを使用する場合に、非通気性及び非透湿性のサブカバーでマットレスを被うことでマットレス内部で熱を確保することができるといったメリットが生じる。
【００１７】
請求項４記載の発明によれば、被覆布のベッド短手方向に沿った側壁面には、被覆布内の空気を外部へ排出するための排気孔が、ベッド短手方向に沿って複数穿設されているため、より効果的にマットレス内部の湿気等を外部へと排出することが可能となる。
【図面の簡単な説明】
【００１８】
【図１】本発明に係るマットレスの第１の実施形態を示したもので、一部を切断して示した略示平面図である。
【図２】図１中のＩＩ−ＩＩ線位置における略示断面図である。
【図３】図１中のＩＩＩ−ＩＩＩ線位置における略示断面図である。
【図４】換気用エアセルの構造を示す略示断面斜視図である。
【図５】本発明に係るマットレスの第１の実施形態における、ベースマットの構造を示したもので、ベースマットの一部を切断して示した略示斜視図である。
【図６】本発明に係るマットレスの第２の実施形態を示したもので、（ａ）はマットレスの側面側から見たサブカバー収納部を示したもので、（ｂ）はサブカバーによってマットレスを被せた状態を示した略示斜視図、（ｃ）はサブカバーによってマットレスを被せた状態を示した略示断面図である。
【図７】本発明に係るマットレスの第３の実施形態を示したもので、一部を切断して示した略示斜視図である。
【図８】換気用空気の吹き出し手段の他の例を示す略示斜視図である。
【図９】換気用空気の吹き出し手段の他の例を示す略示斜視図である。
【発明を実施するための形態】
【００１９】
以下、本発明の実施形態について、図面を参照しながら説明する。
図１は、本発明に係るマットレスの第１の実施形態を示したもので、（ａ）は、一部を切断して示した略示平面図を表している。また、図２は図１中のＩＩ−ＩＩ線位置における略示断面図、図３は図１中のＩＩＩ−ＩＩＩ線位置における略示断面図を表している。
【００２０】
そして、１０はマットレス、１２はエアセル群、１４はエアセル、１６は第１ベースシート、１８はベースマット、２０はクッション部、２２は第２ベースシート、２４はカバー、２６は被覆布、２８は換気用エアセル、２９は換気用空気吹き出し手段、３０は空気供給ノズル、３２は空気吹き出し孔、３４はチューブ、３６はホックを意味している。
【００２１】
まず、本実施形態におけるマットレス１０は、通気性を有する素材からなる第１ベースシート１６と、この第１ベースシート１６の上側表面に空気注入用ノズルを備えた細長い袋状のエアセル１４をベッド長手方向と直交する向きに寝かせた状態で、ベッド長手方向に沿って、複数本（例えば、２０〜２４本程度）並設することにより形成したエアセル群１２と、第１ベースシート１６の下側に位置する通気性を有する構造からなるベースマット１８とを備えたクッション部２０とを有している。
【００２２】
そして、クッション部２０の下側には、第２ベースシート２２が位置しており、第２ベースシート２０とともに、気密性を有する素材からなるカバー２４が、クッション部２０の外周囲を被う被覆布２６を構成している。
【００２３】
エアセル１４は、例えばポリウレタンシートや綿布に樹脂をコーティングした気密性シートを溶着あるいは接着することにより、断面略長円形になる細長い袋状としたもので、図示は省略しているが、一方の端面には、空気注入用ノズルが形成されており、この空気注入用ノズルに空気注入用のチューブあるいはパイプなどを繋ぎ、これらチューブやパイプを介して、ベッド近傍に用意したエアポンプから所定圧力の空気を注入することにより、断面略長円形になる細長い袋状に膨らませることができるようになっている。
【００２４】
被覆布２６のベッド長手方向に沿った左右側面部のうち、いずれか一方の側の側壁面には、クッション部２０に近接して、換気用空気をマットレス１０内に吹き出すための換気用エアセル２８が、ベッド長手方向に沿って配置されており、位置ずれを起こすことがないように換気用エアセル２８に形成したホック３６などによってクッション部２０や、カバー２４に着脱自在に取着されている。
【００２５】
なお、図２及び図３に示すように、換気用エアセル２８は、クッション部２０の方向に向けて換気用の空気を送給されるように構成されている。そのような構成にすることによって、マットレス１０の外側上面から侵入してくる湿気をクッション部及び第２ベースシートを通じて外部（マットレス底面）に向けて積極的に排出できるようになっているわけである。なお、第１ベースシート１６と、第２ベースシート２２をメッシュ生地によって構成させることによって、マットレス１０内部の湿気の外部への排出効率を格段に向上させることができる。
【００２６】
また、図１〜図４に示すように、換気用エアセル２８は、換気用空気をマットレス１０内に吹き出すための換気用空気吹き出し手段２９を構成するものであり、エアセル１４と同様に、ポリウレタンシートや、綿布に樹脂をコーティングした気密性シートを溶着あるいは接着することにより、扁平な細長い袋状としたもので、適宜位置に換気用空気を供給するための空気供給ノズル３０が設けられている。
【００２７】
また、換気用エアセル２８の頂面位置には、所定間隔をおいて、換気用空気を吹き出すための所定の大きさ（例えば、φ０．５ｍｍ）からなる空気吹き出し孔３２が複数個形成されている。さらに、空気供給用ノズル３０は、チューブ３４によってマットレス１０の外部まで引き出されており、このチューブ３４にエアポンプを繋ぐことで、換気用空気を換気用エアセル２８に供給できるようになっている。
【００２８】
次に、本実施形態におけるマットレス１０のうち、クッション部２０を構成するベースマット１８について説明する。
本実施形態におけるベースマット１８は、図５に示すように、カバーの内部に熱可塑性樹脂を主成分とする複数の連続線条によって、ランダムループが形成され、且つ、この線条がそれぞれの接点でランダム（一部や大部分において）に溶接されてなる弾性立体網状構造体１９が収納されることによって構成されている。
【００２９】
このような構成にすることによって、通気性及び透湿性が向上し、マットレス１０内部の湿気を外部へと排出しやすくなっている。また、エアセル１４のベッドとの干渉も抑えることが可能である。
【００３０】
なお、ベースマット１８の厚さは、２ｃｍ程度とすることが望ましく、それ以上とすると、弾性が強化され、例えば、使用者に対して心臓マッサージを施すといった際に、ベースマット１８の弾性により、十分に心臓マッサージを行えないおそれがある。本実施形態においては、ベースマット１８に弾性立体網状構造体１９を用いてるが、本発明はこれに限定されるものではない。
【００３１】
上記構成になるマットレス１０は、次のようにしてマットレス１０内の空気を換気することにより、マットレス１０内にこもっている熱や湿気を排除して使用者の体温上昇による発汗や蒸れを防止し、快適な睡眠や休息をとることを可能とするものである。
【００３２】
即ち、上記マットレス１０の使用に際しては、先ず最初に、マットレス１０のクッション部２０を構成するエアセル１４を、図示を省略した空気注入ノズルを通じて、エアポンプに接続し、マットレス１０として使用可能な状態にまで膨らませる。
【００３３】
続いて、換気用エアセル２８の空気供給ノズル３０から引き出されているチューブ３４にエアポンプを接続し、エアポンプから所定圧に調整された空気を送給開始する。エアポンプから所定圧の空気が送られてくると、換気用エアセル２８が膨らみ、換気用エアセル２８の頂面に形成した空気吹き出し孔３２から換気用の空気をマットレス１０内部のクッション部２０の方向に向けて吹き出す。
【００３４】
マットレス１０内に吹き出された換気用空気は、マットレス１０内部の間隙を縫うようにして流通し、クッション部２０を構成する第１ベースシート１６、ベースマット１８及び第２ベースシート２２を通じて、マットレス底面から外部へと排出される。
【００３５】
マットレス１０内に送り込まれた換気用空気は、マットレス１０内を流通する間に、マットレス１０内の熱や湿気を取り込み、マットレス底面から外部へと運び出す。このため、マットレス１０上に寝ている患者等のベッド使用者のマットレス１０との接触部位における体温上昇を効果的に抑えることができ、体温上昇による発汗や蒸れを防止することが可能となる。また、マットレス１０の上面から侵入する湿気についても、効果的にマットレス１０の底面から外部へと排出することができるようになっている。
【００３６】
本実施形態では、細長い扁平な袋状の換気用エアセル２８を用いて換気用空気を吹き出す構成としているが、換気用空気の吹き出し手段は、これに限定されるものではなく、例えば、図８や図９に示すような換気用空気吹き出し手段を用いても良い。
【００３７】
なお、図８は、チューブ５０の適宜位置に空気吹き出し孔５２を穿孔したもので、図９は、複数個のＴ型コネクタ６０をチューブ６２で連結し、Ｔ型コネクタ６０の残り端子部を小径に構成して空気吹き出し孔６４としたものである。
【００３８】
続いて、本発明に係るマットレスの第２の実施形態について図面を参照しながら説明する。
図６は、本発明に係るマットレスの第２の実施形態を示したもので、（ａ）はマットレスの側面側から見たサブカバー収納部を示したもので、（ｂ）はサブカバーによってマットレスを被せた状態（ベッド短手方向の略中間位置まで）を示した略示斜視図、（ｃ）はサブカバーによってマットレスを被せた状態（ベッド短手方向の略中間位置まで）を示した略示断面図である。また、符号については、３８をカバー収納部、４０をサブカバーとする以外は、図１と同様である。
【００３９】
本実施形態における、サブカバー４０は、被覆布２６の外側であって、ベッド長手方向の左右側面部に沿って形成されているサブカバー収納部３８に折りたたまれた状態で収納係止されており、そのベッド短手方向の長さは、反対側の側面部に沿って形成されているサブカバー収納部に収納されているサブカバーとマットレス１０の底面において、相互につなぎ止めることができる程度必要とされる。
【００４０】
なお、例えば、ベッド長手方向の側面部の一方にのみ、サブカバー収納部を形成し、他方の側面部に設けたフック等につなぎ止めることができる程度の長さ（ベッド短手方向）を有するサブカバーを収納係止するような構成にしても良い。
【００４１】
サブカバー４０を用いる際は、まず、（ａ）に示すように、サブカバー収納部３８に設けられているファスナーを開け、中からサブカバー４０を取り出す。次に、（ｂ）及び（ｃ）に示すように、サブカバー４０をマットレス１０の所定の位置まで引き出し、図示は省略するが、他方のベッド長手方向の側面部に形成されたサブカバー収納部に収納係止されているサブカバーと、例えばボタンやフック等を用いて相互につなぎ止める。
【００４２】
このような構成にすることによって、例えば、冬場の寒冷地等でマットレスを使用する場合に、非通気性及び非透湿性のサブカバーでマットレスを被うことでマットレス内部で熱を確保することができるといった効果が生じることになる。
【００４３】
続いて、本発明に係るマットレスの第３の実施形態について図面を参照しながら説明する。図７は、本発明に係るマットレスの第３の実施形態を示したもので、一部を切断して示した略示斜視図である。なお、符号については、４２を排気孔とする以外は、図１と同様である。
【００４４】
本実施形態では、マットレス１０を構成する被覆布２６のベッド短手方向の側面部に排気孔４２が複数箇所穿設されている。換気用エアセル２８からクッション部２０に向けて吹き出された換気用空気は、マットレス１０内部の湿気等をクッション部２０及び第２ベースシート２２を通じて、マットレス１０外部へと排出するが、排気孔４２を設けておくことにより、マットレス１０内部の湿気等を外部へと排出する効率が一層良くなる。なお、本実施形態では、ベッド短手方向の一方にしか排気孔４２を設けていないが、他方にも設けても良い。また、排気孔４２の数は、これに限定されるものではない。
【産業上の利用可能性】
【００４５】
本発明に係るマットレスは、マットレス内部にこもりがちな湿気を外部（マットレス底面）へと排出させることができ、また、換気用空気吹き出し手段をクッション部に向けて換気用空気を送給させることができるため、マットレスの外側上面から侵入する湿気を積極的にマットレス底面方向に排出することが可能であるため、マットレス内外の蒸れ対策の向上に好適に利用することができる。
【符号の説明】
【００４６】
１０  マットレス
１２  エアセル群
１４  エアセル
１６  第１ベースシート
１８  ベースマット
１９  弾性立体網状構造体
２０  クッション部
２２  第２ベースシート
２４  カバー
２６  被覆布
２８  換気用エアセル
２９  換気用空気吹き出し手段
３０  空気供給ノズル
３２  空気吹き出し孔
３４  チューブ
３６  ホック
３８  サブカバー収納部
４０  サブカバー
４２  排気孔
５０  チューブ
５２  空気吹き出し孔
６０  Ｔ型コネクタ
６２  チューブ
６４  空気吹き出し孔
【図１】
0005680904.tif 000002
【図２】
0005680904.tif 000003
【図３】
0005680904.tif 000004
【図４】
0005680904.tif 000005
【図５】
0005680904.tif 000006
【図６】
0005680904.tif 000007
【図７】
0005680904.tif 000008
【図８】
0005680904.tif 000009
【図９】
0005680904.tif 000010